(57)【要約】      （修正有）【課題】必要量とされる内容物の振り出しが、操作上からの巧拙がなく、年少者及び大人を問わず、誰にでも簡単、確実にできる使い勝手の良い振出し容器を提供する。【解決手段】胴部接着板５の上部にガイド用舌片１３を残して、側縁部から切り込み状に振出し口１４を形成し、前面板１の上部に、隣接する側面板２との折線上に設けた破断可能な切込み線ｈと、切込み線下端から前面板１を横断する折線ｉにより振出し口１４を覆う回動覆い板１５を画成し、回動覆い板１５の上辺に、中程に円弧状の切込み１６ａを有する折線ｊを介して摺動板１７を連設し、回動覆い板１５から折り込んだ摺動板１７を、ガイド用舌片１３と頂面板６下側の隙間に出し入れ自在に挿着した。【選択図】図１
0003105976.tif 000002
【実用新案登録請求の範囲】
【請求項１】
板紙から裁断したブランクシートからなり、前面板、一方の側面板、後面板、他方の側面板及び胴部接着板の順に連設し、また、前記一方の側面板の上下両辺に頂面板と底面板を、他の各面板の上下両辺には、折込み片又は端部接着板を連設し、前記前面板と胴部接着板を接着して形成される角筒状の胴部の両端を、折込み片と端部接着板を折り込んでこの上に頂面板及び底面板を接着して閉鎖する振出し容器において、前記胴部接着板の上部にガイド用舌片を残して、側縁部から切り込み状に振出し口を形成し、前記前面板の上部に、隣接する側面板との折線上に設けた破断可能な切込み線と、切込み線下端から前面板を横断する折線により振出し口を覆う回動覆い板を画成し、該回動覆い板の上辺に、中程に円弧状の切込みを有する折線を介して摺動板を連設し、回動覆い板から折り込んだ摺動板を、ガイド用舌片と頂面板下側の隙間に出し入れ自在に挿着したことを特徴とする振出し容器。
【請求項２】
摺動板の先端部寄りの側縁部に、後側を傾斜縁にした係止凹部を切り込み状に形成し、該係止凹部に対応してガイド用舌片の上辺基部に係止凸部を段差付きで形状したことを特徴とする請求項１記載の振出し容器。
【請求項３】
後面板の上辺に連設され、摺動板上に摺接する折込み片は、その先端に傾斜縁を形成して先端を、摺動板の係止凹部側に寄せて対向するガイド用舌片近くまで達する長さに設定したことを特徴とする請求項１記載の振出し容器。
【考案の詳細な説明】
【技術分野】
【０００１】
本考案は振出し口を有する振出し容器に関するものであり、主に、子供向けのチョコレート、ガム、キャンディー等の粒状菓子類を収容して、使用時にこれらの内容物を振出し口から簡単に振り出すことができる振出し容器に関する。
【背景技術】
【０００２】
従来より、チョコレート、ガム、キャンディー等の粒状菓子類を収容する容器として、振出し口を有する角筒状をなす振出し容器が広く実用されている。（例えば、特許文献１参照）。
【０００３】
この特許文献１に見られる「振出し容器」は、容器の後面板の上縁に頂面板を連設し、さらに、この頂面板から延長して振出し口を有する開口板を設け、また、頂面板の両側縁には、係止突起付きの摺動板を設けた構成のもので、その使用に当たっては、頂面板に設けたジッパーを引き裂くと開封されて、頂面板が起伏動可能となり、指先の操作で頂面板を起立動（開動）させると、これに連られて振出し口を有する開口板が容器頂部に現れて開口し、このときに摺動板は摺動板に一体に延設した係止突起により容器頂部内から外れることがないようにしたものである。
【０００４】
しかし、前記する構成の振出し容器は、その開口時には、容器頂部に容器内に出入りする開口板が現れてこれが頂面板とともに容器頂部に突出するので、この状態からの容器内の内容物の振り出しは、内容物を容器頂部に移動させて行われるようになり、これには、内容物の種類やその形態にもよるが、容器を横倒し状に傾けて開口を下向きになるような操作を必要とする。また、容器を傾けないと、容器内の内容物は開口の方に移動してこないので、内容物を振り出し時の容器の傾き量は可成り大きくなる。また、予定する量の内容物をある程度、時間を掛けて連続的に振り出すような場合は、容器の傾きを加減して内容物を開口からこぼす要領で行われるが、予定する量に達した時点で容器を起こして（立てて）内容物が出てくるのを止める時は、容器を素早く起こす操作が求められるが、これを年少者等が実施する場合は、振り出し量の過多を生じ易いばかりでなく、容器がふら付いて容器から出てくる内容物が外部に漏出散乱するようなことも起き易いものであった。
【特許文献１】実公昭６０−７３２１号公報。
【考案の開示】
【考案が解決しようとする課題】
【０００５】
本考案は、このような状況に鑑みてなされたものであって、内容物が振り出される開口が容器側部に設けられ、容器内からの必要量とされる内容物の振り出しが、操作上からの巧拙がなく、年少者及び大人を問わず、誰にでも簡単、確実にできる使い勝手の良い振出し容器を提供することを目的としたものである。
【課題を解決するための手段】
【０００６】
上記の目的を達成するための本考案に係る振出し容器は、板紙から裁断したブランクシートからなり、前面板、一方の側面板、後面板、他方の側面板及び胴部接着板の順に連設し、また、前記一方の側面板の上下両辺に頂面板と底面板を、他の各面板の上下両辺には、折込み片又は端部接着板を連設し、前記前面板と胴部接着板を接着して形成される角筒状の胴部の両端を、折込み片と端部接着板を折り込んでこの上に頂面板及び底面板を接着して閉鎖する振出し容器において、前記胴部接着板の上部にガイド用舌片を残して、側縁部から切り込み状に振出し口を形成し、前記前面板の上部に、隣接する側面板との折線上に設けた破断可能な切込み線と、切込み線下端から前面板を横断する折線により振出し口を覆う回動覆い板を画成し、該回動覆い板の上辺に、中程に円弧状の切込みを有する折線を介して摺動板を連設し、回動覆い板から折り込んだ摺動板を、ガイド用舌片と頂面板下側の隙間に出し入れ自在に挿着したことを特徴とする。
【０００７】
このように構成された本考案の振出し容器によれば、回動覆い板と摺動板は、ほぼ直角に折り込まれ、その折線の中程に設けた切込みにより摺動板側向けに突出する操作用摘み片を形成する。従って、この操作用摘み片に指先を掛けて摺動板を手前に少し強めに引くと、回動覆い板を画成する切込み線が破断して容器が開封されるのに続き、摺動板が引き出され、回動覆い板が開かれて振出し口を容器側方に開口させるので、容器を傾けて振出し口からの内容物の振り出しは、年少者及び大人を問わず、誰にでも簡単、確実にできる。
【０００８】
また、内容物は振出し口から外に出たところで回動覆い板に衝接して向きを変える等して一時的に二段階の動きを伴ってこの容器外に出るので、段階を踏んで出てくる内容物の動きを見ながら内容物を振り出すと、振り出される内容物の量の調整が簡単にできる。
【０００９】
前記構成において、摺動板の先端部寄りの側縁部に、後側を傾斜縁にした係止凹部を切り込み状に形成し、該係止凹部に対応してガイド用舌片の上辺基部に係止凸部を段差付きで形状するのが好ましい。
【００１０】
この場合、回動覆い板が閉じ位置から開かれる時に、ガイド用舌片と頂面板下側の隙間から引き出される摺動板の下面には、ガイド用舌片の係止凸部が摺接し、この係止凸部が摺動板の係止凹部に入り込んで係止すると、回動覆い板と摺動板は停止し、摺動板の下面には、係止凸部から見て下位段部とされるガイド用舌片の先端部が当接して係止関係を安定させる。従って、不用意に回動覆い板が動くようなことがなく、振出し口の開き度を安定させた状態で容器内から内容物を的確に振り出すことができる。
【００１１】
また、前記するように、摺動板の下面にガイド用舌片の先端部を当接させて係止凸部と係止凹部が係止状態にある時は、係止凸部端から下向きに落ち込む縁部が係止凹部の傾斜縁に対応している。そこで、必要量の内容物を振り出した後に振出し口を閉じるのに、指先で回動覆い板の上部を押して摺動板を容器内に押し込むように操作すると、摺動板が容器内に押し込まれる動きで係止凸部端から下向きに落ち込む縁部に係止凹部の傾斜縁部が摺接移動して摺動板が係止凸部上に乗り上げて係止関係を解いて、摺動板はそのまま押し込まれるので、回動覆い板を閉じる時も操作上からの煩わしさもなく、円滑な動作を実現する。
【００１２】
前記構成において、後面板の上辺に連設され、摺動板上に摺接する折込み片は、その先端に傾斜縁を形成して先端を、摺動板の係止凹部側に寄せて対向するガイド用舌片近くまで達する長さに設定した構成にすると、摺動板上に摺接する前記の折込み片は、摺動板と、端部接着板と一体とされる頂面板との間に挟挿状に配されて摺動板上を覆い、摺動板上に重なる形で摺接するので、摺動板を歪み難くし、また、摺動板の動きを円滑にする緩衝材として機能する。また、折込み片の先端部は、係止凹部側の摺動板上で対向するガイド用舌片近くまで長く延びているので、ガイド用舌片の係止凸部と摺動板の係止凹部が係止状態にある時は、折込み片先端部が、摺動板の先端部上に当接してその上向きの反りを防止して係止凸部と係止凹部の係止関係を安定させるので、長期間の使用にも安定性に優れる。
【考案の効果】
【００１３】
本考案に係る振出し容器によれば、前面板上部に画成した回動覆い板と摺動板との折線に形成した操作用摘み片に、指先を掛けて手前に強めに引くと、容器が開封されるのに続き、回動覆い板が開かれて振出し口が容器側方に開口して安定するので、そのまま容器を傾けて振出し口からの内容物の振り出しは、年少者及び大人を問わず、誰にでも簡単、確実にできる。
【００１４】
また、回動覆い板が開かれる時は、容器内から引き出される摺動板に形成した係止凹部に、ガイド用舌片の基部の係止凸部が入り込んで振出し口の開き度を安定させるので、容器内から内容物を的確に振り出すことができる。
【００１５】
また、振出し口を閉じる時は、指先で回動覆い板の上部を押して摺動板を容器内に押し込むように操作すると、摺動板が容器内に押し込まれる動きで係止凸部係止凹部との係止関係が解かれて摺動板はそのまま押し込まれるので、円滑な動作を実現し、長期間の使用にも安定性に優れたものである。
【考案を実施するための最良の形態】
【００１６】
以下、図面を参照しながら、本考案の実施例に係る振出し容器について具体的に説明する。
【実施例１】
【００１７】
図１は本考案に係る振出し容器の展開図、図２は組み立て要領を説明するための振出し容器の要部の斜視図、図３は組立て後の包装用箱の概略中央断面図、図４は使用要領を説明するための振出し容器の要部の斜視図である。
【００１８】
図１に示すように、１枚の板紙製のブランクシートＡにおいて、直方体形状の振出し容器を形成するために、前面板１の左側に平行する折線ａ、ｂ、ｃ、ｄを介して一方の側面板２、後面板３、他方の側面板４及び胴部接着板５を順次に連設し、また、一方の側面板２の上下両辺に折線ｅを介して頂面板６と底面板７を連設している。
【００１９】
前記の前面板１の下辺と、後面板３の上下両辺には折線ｆを介して折込み片８，９，１０を連設し、他方の側面板４の上下両辺には折線ｇを介して端部接着板１１，１２を連設している。
【００２０】
ここで、前記の前面板１と後面板３、また、一方の側面板２と他方の側面板４（両方の側面板２，４）はそれぞれに略同じ大きさで長方形状をなし、胴部接着板５は前面板１に対して僅かに幅及び長さを短くして長方形状をなしている。
【００２１】
前記の胴部接着板５の上部には、ガイド用舌片１３を残す形で側縁部から切り込み状に振出し口１４を形成し、ガイド用舌片１３の上辺部は、その基部に後述する係止凹部に係止する係止凸部１３ａを段差付きで形成している。
【００２２】
また、前記の前面板１の上部には、隣接する側面板２との折線ａ上に破断可能な切込み線ｈを設け、この切込み線ｈ下端から前面板１を横断する折線ｉによって振出し口１４を覆う回動覆い板１５を画成し、この回動覆い板１５の上辺には、中程に操作用摘み片１６を形成するための円弧状の切込み１６ａを有する折線ｊを介して摺動板１７を連設し、この摺動板１７の先端部寄りの側縁部には、後側に傾斜縁１８ａを有する係止凹部１８を切り込み状に形成している。
【００２３】
ここで、前面板１は、その上部に画成した回動覆い板１５を含む長さが、隣接する側面板２等の長さと略同じにし、摺動板１７においては、その基部（折線ｊ）から係止凹部１８間の長さを、内容物の大きさや回動覆い板１５の操作性等を考慮して適切に設定している。
【００２４】
また、前記の後面板３の上辺に連設した折込み片９は、摺動板１７上に摺接するもので、この折込み片９は、その先端に傾斜縁９ａを形成して先端を、摺動板１７の係止凹部１８側に寄せて対向するガイド用舌片１３近くまで達する長さに設定している。
【００２５】
前記のブランクシートＡから本考案の振出し容器を組み立てるには、各折線ａ、ｂ、ｃ、ｄから前面板１、一方の側面板２、後面板３、他方の側面板４及び胴部接着板５を順次に折り込んで胴部接着板の上に前面板１を重ねて接着してサック貼りする。
【００２６】
次いで、これを角筒状に起こして上下両端部を閉鎖するが、具体的には、先に上側端部を閉鎖する。すなわち、折線ｊから摺動板１７をガイド用舌片１３上を越して内側に折り込み、この摺動板１７上に折線ｆから折込み片９を折り込んで重ね、この折込み片９上に、それぞれの折線ｇ、ｅから端部接着板１１と頂面板６を折り込んで互いに接着することにより上側端部は閉鎖される。
【００２７】
こうして、回動覆い板１５に対して摺動板１７は、ほぼ直角に折り込まれ、その折線ｊの中程に設けた切込み１６ａにより摺動板１７側に向けに突出する操作用摘み片１６を形成する。
【００２８】
また、上側端部が閉鎖されて摺動板１７は、端部接着板１１と一体とされる頂面板６とガイド用舌片１３との隙間に挟み込まれる形で出し入れ自在に挿着される。
【００２９】
また、摺動板１７に対して対向的に後面板３から摺動板１７上に折り込まれた折込み片９は、摺動板１７と、端部接着板１１と一体とされる頂面板６との間に挟挿状に配されて、摺動板１７の動きを円滑にする緩衝材として機能する。すなわち、摺動板１７を覆って摺動板１７上に摺接して摺動板１７を歪み難くしたり、摺動板１７が引き出される時に、摺動板１７先端部の上向きの反りを防止したりする。
【００３０】
前記のようにして上側端部を閉鎖した状態で、内容物の充填は、容器を倒立させて開放状態にある下側端部から行われ、内容物充填後の下側端部の閉鎖は、折込み片８，１０をそれぞれの折線ｆから対向的に内向きに折り込み、この折込み片８，１０上に、それぞれの折線ｇ、ｅから端部接着板１２と底面板７を折り込んで互いに接着することで下側端部（容器底部）は閉鎖されて振出し容器の組み立ては完了する。
【００３１】
使用に当たって、前記のようにして組み立てられた振出し容器から内容物を振り出すには、容器を持つ手の親指の指先を、操作用摘み片１６に掛けて回動覆い板１５上部を手前に強めに引くように操作すると、破断可能な切り込みｈが破断し、回動覆い板１５は隣接する側面板２から分離して容器が開封され、引き続き、回動覆い板１５は摺動板１７を引き出しながら折線ｉをヒンジにして開動し、摺動板１７の係止凹部１８にガイド用舌片１３の係止凸部１３ａが入り込んで係止したところで回動覆い板１５は開き位置に止まり、容器側方に向けて振出し口１４は開かれる。
【００３２】
ここで、係止凹部１８に係止凸部１３ａが入り込んで係止した状態では、摺動板１７の下面には、係止凸部１３ａから見て一段低く、下位段部とされるガイド用舌片１３の先端部が当接して係止関係を安定させるので、振出し口１４を確実に開いた状態で内容物を振り出す（取り出す）ことができる。
【００３３】
必要量の内容物を振り出した後に振出し口１４を閉じる時は、容器を持つ手の親指の指先を回動覆い板１５上部に当てて摺動板１７を容器内に押し込むように操作すると、ここでは、係止凹部１８内に入り込んで係止関係にある係止凸部１３ａの先端部縁が係止凹部１８の後側の傾斜縁１８ａに対応しているので、摺動板１７が押し込まれる動きで係止凸部１３ａの先端部縁が係止凹部１８の傾斜縁１８ａ部を摺接移動する間に、摺動板１７が係止凸部１３ａ上に乗り上げて係止関係を解いて摺動板１７はそのまま押し込まれる。
【産業上の利用可能性】
【００３４】
本考案に係る振出し容器によれば、一枚の板紙から作ることができるので、構造が簡単で組み立ても容易なために、通常のサックマシーンでの量産が可能であり、比較的安価に提供できる。本考案に係る振出し容器では、振出し口の開閉は、振出し口を覆う回動覆い板の開閉操作で行われ、内容物は振出し口から容器外に出た直後に回動覆い板に衝接して二段階の動きを伴うので、段階を踏んで出てくる内容物の動きを見て振り出される内容物の量の調整も簡単にできる。従って、使用上からして、容器内から振り出される内容物の動きにも興味をそそられるものであり、特に、子供向けのお菓子類に適用して、販売範囲を拡大し、販売増強を図ることができる実用上、極めて有益なものである。
【図面の簡単な説明】
【００３５】
【図１】本考案に係る振出し容器の展開図である。
【図２】組み立て要領を説明するための振出し容器の要部の斜視図である。
【図３】組立て後の包装用箱の概略中央断面図である。
【図４】使用要領を説明するための振出し容器の要部の斜視図である。
【符号の説明】
【００３６】
１  前面板
２  側面板
３  後面板
４  側面板
５  胴部接着板
６  頂面板
７  底面板
８  折込み片
９  折込み片
９ａ  傾斜縁
１０  折込み片
１１  端部接着板
１２  端部接着板
１３  ガイド用舌片
１４  振出し口
１３ａ  係止凸部
１５  回動覆い板
１６  操作用摘み片
１６ａ，ｈ  切込み線
１７  摺動板
１８ａ  傾斜縁
１８  係止凹部
ａ〜ｇ，ｉ，ｊ  折線
Ａ  ブランクシート
【図１】
0003105976.tif 000003
【図２】
0003105976.tif 000004
【図３】
0003105976.tif 000005
【図４】
0003105976.tif 000006